(57)【特許請求の範囲】
【請求項１】
カラオケ曲を演奏するための、音声信号を含む第１のデータ、楽音の発音タイミング、消音タイミングなどを指示する演奏タイミングデータを含む第２のデータからなる演奏データ、および、このカラオケ曲の背景映像となる圧縮された動画データをそれぞれ複数のレコードに分割し、各レコードに各データ共通の同一タイミングで読み出されるべきことを示す読出タイミングデータおよび各レコードの内容を識別する識別データを付して作成されたカラオケデータをダウンロードするダウンロード手段と、
ダウンロードされたカラオケデータを記憶するカラオケデータ記憶手段と、
上記読出タイミングデータに基づいてカラオケデータ記憶手段からカラオケデータを読み出し、識別データに基づいて動画データおよび演奏データに分類し、動画データを動画の再生レートに基づいて再生するとともに、第１のデータの音声信号を音声信号再生レートで再生するとともに、第２のデータによる演奏を前記演奏タイミングデータに基づいて実行するカラオケ演奏手段と、
を備えたことを特徴とするカラオケ装置。
【請求項２】
カラオケ演奏の背景映像となる動画データ、および、楽音の発音タイミング、消音タイミングなどを指示する演奏タイミングデータを含む演奏データを、各データ共通の同一タイミングで読み出されるべきことを示す読出タイミングデータを付して記憶したカラオケデータ記憶手段と、
上記読出タイミングデータに基づいてカラオケデータ記憶手段から読み出した動画データを動画の再生レートに基づいて再生するとともに、前記読出タイミングデータに基づいて読み出した演奏データによる演奏を前記演奏タイミングデータに基づいて実行する演奏手段と、
を備えたことを特徴とするカラオケ装置。
【発明の詳細な説明】
【０００１】
【産業上の利用分野】
この発明は、カラオケの演奏データと背景動画の画像データを一緒に記憶したカラオケデータを再生するカラオケ装置に関する。
【０００２】
【従来の技術】
カラオケ装置の方式として、現在ＬＤカラオケおよび音源カラオケが主流となっている。ＬＤカラオケは背景映像とカラオケ曲の演奏とが同期してＬＤに記憶されており曲と画面が１対１で対応しているため、長時間再生しても同じ背景映像が再生することがない利点があるが、データ量が大きく新曲の導入にはＬＤを追加する必要があり面倒である。
【０００３】
これに対して、音源カラオケは、音源装置を駆動するシーケンスデータで曲データが構成されるためデータ量が少なく、電話回線を通じた伝送も可能であり、新曲の導入が早く、多くの曲を小さい装置で記憶できるなどの利点がある。
【０００４】
【発明が解決しようとする課題】
しかし、音源カラオケの楽曲データは画像データを同時に記憶しておくことができず、予めストックされている画像データから適当なものを選択して同時再生する方式であったため、その曲に最適な映像が再生されるとはかぎらず、また、長時間カラオケ再生をしていると同じ背景映像が繰り返される場合があった。
【０００５】
この発明は、楽曲データと背景映像データを同期して記憶し、伝送可能なカラオケ装置を提供することを目的とする。
【０００６】
【課題を解決するための手段】
請求項１の発明は、カラオケ曲を演奏するための、音声信号を含む第１のデータ、楽音の発音タイミング、消音タイミングなどを指示する演奏タイミングデータを含む第２のデータからなる演奏データ、および、このカラオケ曲の背景映像となる圧縮された動画データをそれぞれ複数のレコードに分割し、各レコードに各データ共通の同一タイミングで読み出されるべきことを示す読出タイミングデータおよび各レコードの内容を識別する識別データを付して作成されたカラオケデータをダウンロードするダウンロード手段と、ダウンロードされたカラオケデータを記憶するカラオケデータ記憶手段と、上記読出タイミングデータに基づいてカラオケデータ記憶手段からカラオケデータを読み出し、識別データに基づいて動画データおよび演奏データに分類し、動画データを動画の再生レートに基づいて再生するとともに、第１のデータの音声信号を音声信号再生レートで再生するとともに、第２のデータによる演奏を前記演奏タイミングデータに基づいて実行するカラオケ演奏手段と、を備えたことを特徴とする。
請求項２の発明は、カラオケ演奏の背景映像となる動画データ、および、楽音の発音タイミング、消音タイミングなどを指示する演奏タイミングデータを含む演奏データを、各データ共通の同一タイミングで読み出されるべきことを示す読出タイミングデータを付して記憶したカラオケデータ記憶手段と、上記読出タイミングデータに基づいてカラオケデータ記憶手段から読み出した動画データを動画の再生レートに基づいて再生するとともに、前記読出タイミングデータに基づいて読み出した演奏データによる演奏を前記演奏タイミングデータに基づいて実行する演奏手段と、を備えたことを特徴とする。
【０００７】
【作用】
この発明のカラオケ装置は、カラオケ曲の演奏データおよび圧縮された背景動画の画像データを読出タイミングデータに同期させて記憶している。フォーマットとしては拡張ＭＰＥＧ１方式などがある。このカラオケデータをタイミングデータに同期して読み出す。演奏データの読み出しと背景動画の読み出しが同期して実行されるため、これを表示，放音すれば、音と画面が同期したカラオケ演奏が可能になる。
また、この発明のカラオケ装置では、圧縮された画像データの合間に演奏データを記憶している。再生時には、ＮＴＳＣなどの動画の再生レートに合わせて画像データを再生するとともに、この動画データの読み出しタイミングの合間に、記憶されている演奏データを読み出す。そして、演奏データに独自のタイミングデータである演奏タイミングデータが書き込まれているため、これに基づいて曲を演奏する。これにより、画像データのフォーマットで画像データおよび演奏データを記憶しておき、それぞれ独自のタイミングデータに基づいて画像再生および曲演奏を行うことができる。
【０００８】
【実施例】
図１はこの発明の実施例であるカラオケ装置のブロック図である。また、図２は同カラオケ装置に記憶されるカラオケデータ（拡張ＭＰＥＧデータ）の構成を示す図である。
【０００９】
データ識別部１には拡張ＭＰＥＧデータのフォーマットでカラオケデータを複数曲分記憶するストレージ２が設けられている。このストレージからどのカラオケデータを読み出すかは、選曲部２１が決定する。選曲部２１は利用者が操作するコマンダ（リモコン）から受信する選曲データに基づいて選曲を実行する。ストレージ２から読み出されたカラオケデータはデータ選別部１に入力される。
【００１０】
図２は、ストレージ２に記憶されるカラオケデータの構成を示す図である。カラオケデータは拡張ＭＰＥＧデータで構成されており、拡張ＭＰＥＧデータは基本部分と特徴部分からなるデータブロックの連続で構成されている。なお、ＭＰＥＧ１フォーマットは、１．５Ｍｂｐｓのレートで伝送・読み出しを行うことができる。基本部分はタイムスタンプおよびＭＰＥＧビットストリームデータからなっている。タイムスタンプはこのデータブロックの出力タイミングを指示するデータであり、この発明の読出タイミングデータに対応している。このデータブロックに含まれるデータは、全てこのタイミングに出力される。ＭＰＥＧビットトスリームデータは圧縮された画像データであり、カラオケの背景映像を構成する。ＭＰＥＧフォーマットでは、画像データはＤＣＴなどの手法によって圧縮されている。また、拡張部分はシーケンスデータおよびＡＤＰＣＭデータからなっている。シーケンスデータは音源を駆動する楽音シーケンスデータおよび歌詞を表示する歌詞シーケンスデータからなっている。シーケンスデータは楽音の発音／消音や文字の表示／消去を指示するイベントデータとイベントデータとイベントデータとの間をつなぐデュレーションデータからなっている。デュレーションデータは、この発明の演奏タイミングデータに対応している。ＡＤＰＣＭデータはバックコーラスなど音源で合成できない音声信号のデータである。
【００１１】
ＭＰＥＧビットストリームデータ，シーケンスデータ，ＡＤＰＣＭデータは、それぞれ１または複数のレコードからなっている。各レコードは、ブロックナンバ，データ種別，オプショナル制御ビットおよびデータボディからなっている。ブロックナンバはそのレコードが属するブロックのナンバであり、同一ナンバであれば同一のタイミングでそのデータが読み出されるべきことを示している。データ種別は上記ＭＰＥＧビットストリーム，シーケンスデータおよびＡＤＰＣＭデータのうちどのデータであるかを識別するコードである。オプショナル制御ビットは、そのデータの機能を示すビットであり、シーケンスデータのうちデュレーションデータを記憶したレコードのオプショナル制御ビットに１が書き込まれている。データボディは該レコードのデータ本体部である。なお、１フレームの画像データは複数のレコードにわたって符号化され、そのレコード数や各レコードのデータ長は不定である。また、シーケンスデータおよびＡＤＰＣＭデータも各レコード長は不定であり、このタイムスタンプのタイミングに読み出されるもののみが記憶される。
【００１２】
このように、カラオケ演奏用のデータを全て統一された拡張ＭＰＥＧデータとして記憶することにより、データの統一をとることができ、且つ、楽音部と映像部を合体させて記憶および高速に伝送することができる。
【００１３】
図１において、データ識別部１はストレージ２から読み出されたカラオケデータ（拡張ＭＰＥＧデータ）からＭＰＥＧビットストリームデータ，シーケンスデータ，ＡＤＰＣＭデータを選別してそれぞれ、ＭＰＥＧバッファ（ＭＰＥＧｆｉｆｏ）３，シーケンスバッファ（ＳＥＱｆｉｆｏ）４，ＡＤＰＣＭバッファ（ＡＤＰＣＭｆｉｆｏ）５に入力する。ＭＰＥＧバッファ３のデータは、そのタイムスタンプのタイミングにＭＰＥＧビデオデコーダ６に読み込まれる。ＭＰＥＧビデオデコーダ６はＭＰＥＧデータからカラオケの背景映像となる動画の画像データを再現する。ＭＰＥＧビデオデコーダ６が再現した画像データは合成器１０に入力される。一方、シーケンスバッファ４に記憶されたデータはそのタイムスタンプのタイミングに、ＶＤＰ（ビデオデータプロセッサ）７および音源８に読み取られる。ＶＤＰ７は、シーケンスデータのなかから歌詞シーケンスデータを選別して読み取る。ＶＤＰ７は、フォント（文字パターン）データを記憶したメモリ２０を接続しており、入力された歌詞シーケンスデータに基づいて歌詞の文字パターンを生成する。ＶＤＰ７が生成した文字パターンは、合成器１０に入力される。合成器１０は、ＭＰＥＧビデオデコーダ６から入力された画像データとＶＤＰ７から入力された文字パターンとを合成してカラオケ映像データを作成する。このカラオケ映像データはＤ／Ａ変換器１１でアナログの映像信号に変換される。この映像信号はＮＴＳＣエンコーダ１２によってＮＴＳＣ方式の映像信号に変換されモニタ１３に入力される。これにより、ストレージ２から拡張ＭＰＥＧデータが読み出されるとそのタイムスタンプに同期して歌詞付きの背景映像が表示されるようになる。
【００１４】
一方、音源８は、シーケンスバッファ４に記憶されているシーケンスデータのなかから楽音シーケンスデータを選別して読み取る。音源８は、楽音シーケンスデータに基づいて楽音信号を生成する。また、ＡＤＰＣＭデコーダ９はＡＤＰＣＭバッファ５に記憶されているＡＤＰＣＭデータを読み取り、このデータをデコードして音声信号を合成する。音源８が形成した楽音信号およびＡＤＰＣＭデコーダ９がデコードした音声信号は加算器１４に入力される。楽音信号および音声信号は加算器１４で加算合成されアンプ１５に入力される。アンプ１５で増幅された信号はミキサ１６でマイク１７から入力される歌唱信号とミキシングされたのち効果回路１８に入力される。効果回路１８は、この信号に対して残響等の効果を付与したのちスピーカ１９に出力して放音する。
【００１５】
このように背景映像データと同一のフォーマットにカラオケの演奏データが記憶されているため、カラオケ曲の演奏を指示することにより、その曲の演奏と同時にその曲の１対１で対応する背景映像が同期して表示されることになる。
【００１６】
なお、上記実施例ではシーケンスデータとしてイベントデータとデュレーションデータでシーケンスデータを構成し、ＶＤＰ７，音源８はデュレーションデータでタイミングを検出して楽音の発生や文字の表示などのイベントを実行するようにしているが、ＭＰＥＧのタイムスタンプを利用し、イベントデータの属するデータブロックに付されていたタイムスタンプに従ってイベントを発生することによりデュレーションデータを省略することができる。
【００１７】
なお、この実施例ではＭＰＥＧデータで構成されるカラオケデータを電話回線を介して受信することができるが、従来は楽曲データのみダウンロードが可能で背景映像は装置に内蔵されたＬＤから選択していたのに対し、この実施例では、背景映像データと一体になったカラオケデータをダウンロードすることができる。これにより、曲と映像が１対１で対応した新曲のデータの導入が早くなる。
【００１８】
【発明の効果】
以上のようにこの発明によれば、カラオケ曲の演奏データと圧縮された背景動画の画像データを一緒に記憶し、これを１つのタイミングデータに同期して再生するようにしたことにより、曲と背景映像を１対１で対応させることができる。また、圧縮された画像データの合間に演奏データを記憶し、それぞれ別々のタイミングデータで再生・演奏するようにしたことにより、データを一体にして同期した演奏が可能であるとともに、画像・楽曲ともにそれぞれ独自の方式で再生・演奏することができる。
【００１９】
【図面の簡単な説明】
【図１】この発明の実施例であるカラオケ装置のデータ復元部を示す図
【図２】同カラオケ装置のデータ構成を示す図
【図１】
0003592373.tif 000002
【図２】
0003592373.tif 000003